(57)【特許請求の範囲】
【請求項１】
便器に局部洗浄手段を備え、前記便器に着座した使用者又は前記便器の前側に立った使用者を検知し、前記便器に設けた脱臭手段に前記便器の周辺の空気を標準脱臭風量で供給することにより、標準脱臭動作を行う脱臭装置の制御方法において、
前記局部洗浄手段が所定時間又は所定回数動作した後、前記標準脱臭風量より大きいパワー脱臭風量で空気を前記脱臭手段に供給してパワー脱臭動作を行うことを特徴とする脱臭装置の制御方法。
【請求項２】
便器に温風乾燥手段を備え、前記便器に着座した使用者又は前記便器の前側に立った使用者を検知し、前記便器に設けた脱臭手段に前記便器の周辺の空気を標準脱臭風量で供給することにより、標準脱臭動作を行う脱臭装置の制御方法において、
前記温風乾燥手段が所定時間又は所定回数動作した後、前記標準脱臭風量より大きいパワー脱臭風量で空気を前記脱臭手段に供給してパワー脱臭動作を行うことを特徴とする脱臭装置の制御方法。
【請求項３】
便器に局部洗浄手段及び温風乾燥手段を備え、前記便器に着座した使用者又は前記便器の前側に立った使用者を検知し、前記便器に設けた脱臭手段に前記便器の周辺の空気を標準脱臭風量で供給することにより、標準脱臭動作を行う脱臭装置の制御方法において、
前記局部洗浄手段及び前記温風乾燥手段のそれぞれの停止スイッチの動作回数の合計が所定回数に達した後、前記標準脱臭風量より大きいパワー脱臭風量で空気を前記脱臭手段に供給してパワー脱臭動作を行うことを特徴とする脱臭装置の制御方法。
【請求項４】
標準脱臭風量による標準脱臭動作と、前記標準脱臭風量よりも大きいパワー脱臭風量によるパワー脱臭動作とを行う脱臭装置の制御方法において、前記パワー脱臭動作を行う時間は、予め設定した複数の設定時間の中から任意に選択することを特徴とする脱臭装置の制御方法。
【請求項５】
標準脱臭風量による標準脱臭動作と、前記標準脱臭風量よりも大きいパワー脱臭風量によるパワー脱臭動作とを行う脱臭装置の制御方法において、前記パワー脱臭動作を行う時間は、使用者が着座している時間の長さに応じて、予め設定した複数の設定時間の中から選択することを特徴とする脱臭装置の制御方法。
【請求項６】
標準脱臭風量による標準脱臭動作と、前記標準脱臭風量よりも大きいパワー脱臭風量によるパワー脱臭動作とを行う脱臭装置の制御方法において、
前記パワー脱臭動作を行う時間は、便器に備えた局部洗浄手段の使用時間又は動作回数に応じて、予め設定した複数の設定時間の中から選択することを特徴とする脱臭装置の制御方法。
【請求項７】
標準脱臭風量による標準脱臭動作と、前記標準脱臭風量よりも大きいパワー脱臭風量によるパワー脱臭動作とを行う脱臭装置の制御方法において、
前記パワー脱臭動作を行う時間は、便器に備えた温風乾燥手段の使用時間又は動作回数に応じて、予め設定した複数の設定時間の中から選択することを特徴とする脱臭装置の制御方法。
【請求項８】
標準脱臭風量による標準脱臭動作と、前記標準脱臭風量よりも大きいパワー脱臭風量によるパワー脱臭動作とを行う脱臭装置の制御方法において、
前記パワー脱臭動作を行う時間は、便器に備えた温風乾燥手段及び局部洗浄手段のそれぞれの停止スイッチの動作回数の合計回数に応じて、予め設定した複数の設定時間の中から選択することを特徴とする脱臭装置の制御方法。
【請求項９】
標準脱臭風量による標準脱臭動作と、前記標準脱臭風量よりも大きいパワー脱臭風量によるパワー脱臭動作とを行う脱臭装置の制御方法において、
前記パワー脱臭動作を行う時間は、便器の近傍に設けた臭気センサーが検出した臭気濃度の大きさに応じて、予め設定した複数の設定時間の中から選択することを特徴とする脱臭装置の制御方法。
【請求項１０】
請求項４〜９のいずれか１項に記載の脱臭装置の制御方法において、前記パワー脱臭動作を行う時間は、使用者が便座から離座してから前記パワー脱臭動作の停止までのオフディレー時間を、予め設定した複数の設定時間の中から選択することにより決定されることを特徴とする脱臭装置の制御方法。
【発明の詳細な説明】
【０００１】
【発明の属する技術分野】
本発明は、便器に着座した使用者を検知し、便器に設けた脱臭手段に便器周辺の空気を供給して脱臭動作を行う脱臭装置の制御方法に関する。
【０００２】
【従来の技術】
従来、便器の周辺の空気に含まれる臭気を除去する場合、脱臭手段に送風機（例えば吸引ファン）と脱臭剤を設け、送風機によって脱臭剤に便器の周辺の空気を供給して空気中の臭気物質を吸収し、吸着させている。便器を使用していないときは送風機の駆動を止めて節電し、使用者が便器の便座に着座したときに一定の標準脱臭風量で送風機を動作させて標準脱臭動作を行う。特に臭気が著しい場合には使用者が任意に脱臭手段に設けた送風機の駆動スイッチを動作させたり、あるいは自動的に便座から立ち上がった後に、標準脱臭風量より大きい風量のパワー脱臭風量で脱臭するパワー脱臭動作を行うようにして、便器の使用者に臭気による不快感が生じるのを防止し、パワー脱臭を開始してから所定時間（約１分）後に脱臭動作を自動的に停止（オフディレーという）するようにしている。
【０００３】
【発明が解決しようとする課題】
ところで、前記従来の脱臭方法では、使用者が送風機の駆動スイッチを操作する必要があったり、パワー脱臭動作の開始が遅れたりして脱臭手段の動作と臭気の発生のタイミングが合わないことがあり、使用者に不快感が残るという問題があった。
また、便座から立ち上がった後一定時間後に自動的にパワー脱臭するようにしても、臭気の発生する時間や臭気濃度のばらつきが大きく、予め設定されたオフディレー時間では脱臭しきれず次に別の使用者が便室に入ったときに臭気が便室内に充満して次の使用者に不快感を与えることがあった。
また、常時、大きい風量（パワー脱臭風量）で脱臭すると、電力消費量が大きくなったり、使用者に当たる風が強くなって寒さを感じさせるような不快感を与えるという問題があった。
本発明はこのような事情に鑑みてなされたもので、脱臭手段のパワー脱臭動作のタイミングを制御して、便器の周辺を快適な雰囲気に維持する脱臭装置の制御方法を提供することを目的とする。
【０００４】
【課題を解決するための手段】
【０００５】
【０００６】
前記目的に沿う第１の発明に係る脱臭装置の制御方法は、便器に局部洗浄手段を備え、前記便器に着座した使用者又は前記便器の前側に立った使用者を検知し、前記便器に設けた脱臭手段に前記便器の周辺の空気を標準脱臭風量（例えば０．０５〜０．１ｍ3／ｍｉｎ、好ましくは０．０９ｍ3／ｍｉｎ）で供給することにより、標準脱臭動作を行う脱臭装置の制御方法において、前記局部洗浄手段が所定時間又は所定回数動作した後、前記標準脱臭風量より大きいパワー脱臭風量（例えば０．１０〜０．２０ｍ3／ｍｉｎ、好ましくは０．１８ｍ3／ｍｉｎ）で空気を前記脱臭手段に供給してパワー脱臭動作を行う。
これにより、使用者が便座から立ち去る前に、局部洗浄手段を使用したら所定時間（例えば０を超え１０秒以下）経過後、又は所定回数（例えば１〜３回）使用後にパワー脱臭動作を行うので、臭気の発生とパワー脱臭のタイミングを容易に一致させることが出来、使用者が立ち上がる前に臭気を除去することができる。
【０００７】
前記目的に沿う第２の発明に係る脱臭装置の制御方法は、便器に温風乾燥手段を備え、前記便器に着座した使用者又は前記便器の前側に立った使用者を検知し、前記便器に設けた脱臭手段に前記便器の周辺の空気を標準脱臭風量で供給することにより、標準脱臭動作を行う脱臭装置の制御方法において、前記温風乾燥手段が所定時間又は所定回数動作した後、前記標準脱臭風量より大きいパワー脱臭風量で空気を前記脱臭手段に供給してパワー脱臭動作を行う。
これにより、使用者が便座から立ち去る前に、温風乾燥手段を使用したら所定時間（例えば０を超え１０秒以下）経過後、又は所定回数（例えば１〜３回）使用後にパワー脱臭動作を行うので、臭気の発生とパワー脱臭のタイミングを容易に一致させることが出来、使用者が立ち上がる前に臭気を除去することができる。
【０００８】
前記目的に沿う第３の発明に係る脱臭装置の制御方法は、便器に局部洗浄手段及び温風乾燥手段を備え、前記便器に着座した使用者又は前記便器の前側に立った使用者を検知し、前記便器に設けた脱臭手段に前記便器の周辺の空気を標準脱臭風量で供給することにより、標準脱臭動作を行う脱臭装置の制御方法において、前記局部洗浄手段及び前記温風乾燥手段のそれぞれの停止スイッチの動作回数の合計が所定回数に達した後、前記標準脱臭風量より大きいパワー脱臭風量で空気を前記脱臭手段に供給してパワー脱臭動作を行う。
通常、局部洗浄手段を使用後に停止したあと、温風乾燥手段を使用する事が多いが、これにより、局部洗浄手段や温風乾燥手段を使用した後、局部洗浄手段を停止した回数と温風乾燥手段を停止した回数の合計を計測して、その回数が例えば２回以上のときにパワー脱臭動作を行うことにより、使用者が明らかに便器を使用したときから確実に便器の周辺の臭気を除去することが出来る。なお、局部洗浄手段と温風乾燥手段の使用回数は、局部洗浄手段と温風乾燥手段とを停止させるスイッチを同じ止めスイッチによって行うので、止めスイッチ１個の動作回数を計測するだけでカウントすることが出来る。
【０００９】
【００１０】
前記目的に沿う第４の発明に係る脱臭装置の制御方法は、標準脱臭風量による標準脱臭動作と、前記標準脱臭風量よりも大きいパワー脱臭風量によるパワー脱臭動作とを行う脱臭装置の制御方法において、前記パワー脱臭動作を行う時間は、予め設定した複数の設定時間の中から任意に選択する。
この場合、パワー脱臭の動作時間を予め、例えば６０秒（短時間）、９０秒（中時間）、１２０秒（長時間）の３段階に分けて設定できるようにしてある。
前記目的に沿う第５の発明に係る脱臭装置の制御方法は、標準脱臭風量による標準脱臭動作と、前記標準脱臭風量よりも大きいパワー脱臭風量によるパワー脱臭動作とを行う脱臭装置の制御方法において、前記パワー脱臭動作を行う時間は、使用者が着座している時間の長さに応じて、予め設定した複数の設定時間の中から選択するようにしている。
この場合、例えば短時間、中時間、長時間の動作時間を設定する設定ボタンを設けておけば、誰でも簡単に動作時間を設定することができる。
前記目的に沿う第６の発明に係る脱臭装置の制御方法は、標準脱臭風量による標準脱臭動作と、前記標準脱臭風量よりも大きいパワー脱臭風量によるパワー脱臭動作とを行う脱臭装置の制御方法において、前記パワー脱臭動作を行う時間は、便器に備えた局部洗浄手段の使用時間又は動作回数に応じて、予め設定した複数の設定時間の中から選択するようにしている。
この場合、局部洗浄手段は、例えばおしり洗浄やビデ洗浄が可能な洗浄装置であってもよく、おしり洗浄やビデ洗浄の使用時間又は使用回数に応じてパワー脱臭動作を行う時間を、例えば短時間、中時間、長時間の動作時間を設定する設定ボタンを設けることにより、誰でも簡単にパワー脱臭の動作時間を設定することができる。
【００１１】
前記目的に沿う第７の発明に係る脱臭装置の制御方法は、標準脱臭風量による標準脱臭動作と、前記標準脱臭風量よりも大きいパワー脱臭風量によるパワー脱臭動作とを行う脱臭装置の制御方法において、前記パワー脱臭動作を行う時間は、便器に備えた温風乾燥手段の使用時間又は動作回数に応じて、予め設定した複数の設定時間の中から選択するようにしている。
この場合、パワー脱臭動作を行う時間は、温風乾燥手段の使用時間又は動作回数に応じて、例えば短時間、中時間、長時間の動作時間を設定する設定ボタンを設けておくことにより、誰でも簡単にパワー脱臭の動作時間を設定することができる。
【００１２】
前記目的に沿う第８の発明に係る脱臭装置の制御方法は、標準脱臭風量による標準脱臭動作と、前記標準脱臭風量よりも大きいパワー脱臭風量によるパワー脱臭動作とを行う脱臭装置の制御方法において、前記パワー脱臭動作を行う時間は、便器に備えた温風乾燥手段及び局部洗浄手段のそれぞれの停止スイッチの動作回数の合計回数に応じて、予め設定した複数の設定時間の中から選択する。
この場合、温風乾燥手段及び局部洗浄手段の使用状態を明確に把握することが出来、確実に臭気の発生とパワー脱臭のタイミングを容易に一致させることが出来、しかも電力消費量を節約することができる。
前記目的に沿う第９の発明に係る脱臭装置の制御方法は、標準脱臭風量による標準脱臭動作と、前記標準脱臭風量よりも大きいパワー脱臭風量によるパワー脱臭動作とを行う脱臭装置の制御方法において、前記パワー脱臭動作を行う時間は、便器の近傍に設けた臭気センサーが検出した臭気濃度の大きさに応じて、予め設定した複数の設定時間の中から選択する。
この場合、臭気濃度が小さい場合は短時間に、臭気濃度が大きい場合には長時間パワー脱臭動作を行うので、脱臭効果が確実になり、しかも電力消費量を節約することができる。
【００１３】
前記目的に沿う第１０の発明に係る脱臭装置の制御方法は、第４〜第９の発明に係る脱臭装置の制御方法において、前記パワー脱臭動作を行う時間は、使用者が便座から離座してから前記パワー脱臭動作の停止までのオフディレー時間を、予め設定した複数の設定時間の中から選択することにより決定される。
この場合、離座後のパワー脱臭時間を使用者が選択可能なので、使用中や離座後の臭気に応じて次の使用者のために適切と思える脱臭時間を設定することができるので、次の使用者の使用時まで臭気を残してしまうという不安感を減少させることができる。
【００１４】
【発明の実施の形態】
続いて、添付した図面を参照しつつ、本発明を具体化した実施の形態につき説明し、本発明の理解に供する。
ここに、図１は本発明の第１の実施の形態に係る脱臭装置の制御方法を使用する脱臭装置を設けた便器の平面図、図２は同脱臭装置を用いる便器の一部を断面で示した側面図、図３は同脱臭装置の制御方法のフローチャート、図４は同脱臭装置の制御方法のタイムチャート、図５は本発明の第２の実施の形態に係る脱臭装置の制御方法を使用する脱臭装置の説明図、図６は本発明の第３の実施の形態に係る脱臭装置の制御方法を使用する脱臭装置を設けた便器の平面図、図７は同脱臭装置の制御方法のフローチャート、図８は同脱臭装置の制御方法のタイムチャート、図９は本発明の第４の実施の形態に係る脱臭装置の制御方法を使用する脱臭装置を設けた便器の平面図、図１０は本発明の第５の実施の形態に係る脱臭装置の制御方法のフローチャート、図１１は本発明の第６の実施の形態に係る脱臭装置の制御方法を使用する脱臭装置を設けた便器の平面図、図１２は同脱臭装置の制御方法のフローチャート、図１３は同脱臭装置の制御方法のタイムチャートである。
【００１５】
図１、図２に示すように、本発明の第１の実施の形態に係る脱臭装置の制御方法を使用する脱臭装置１０は、周囲の空気に含まれた臭気を吸収する脱臭手段１１と脱臭手段１１の動作を制御する制御装置１２を有している。脱臭手段１１は、便器１３の汚物を洗浄及び排出する容器状の便器本体１４の後側上部に設けた衛生洗浄装置１５の衛生洗浄装置本体１６に設けられている。そして、脱臭手段１１は便器本体１４の内側に開口する吸入口１７と、便器本体１４の外側に開口する排出口１８とを有する通風ダクト１９を備え、通風ダクト１９の中には送風機２０と、例えば活性炭素等からなる脱臭触媒２１を設けている。そして、送風機２０によって吸入口１７から入った便器本体１４の周辺の空気を排出口１８に向かって流し、空気に含まれる臭気物質を脱臭触媒２１に吸着させて、臭気物質を除去した後の空気を排出口１８から外側に排出するようにしている。また、便器本体１４の前側には便器本体１４の上部に配置された便座２２と便座２２を覆う便蓋２３を設け、便座２２と便蓋２３の後側端部を衛生洗浄装置本体１６の前側にヒンジ構造２４によって支持して、開閉自在に取付けられている。また、衛生洗浄装置本体１６は便器本体１４の内側に出入りして洗浄水を噴出し、使用者の局部を洗浄するノズル機構２５を有する局部洗浄手段２６と、便器本体１４の内側に温風を吹き出して使用者の局部を乾燥する温風乾燥手段２７を有している。
【００１６】
衛生洗浄装置本体１６の前側部には、便座２２と便蓋２３の開閉動作に干渉しない位置に、操作部本体２８を設け、操作部本体２８の便座２２側に対面して便座２２に着座した使用者を検出する、例えば赤外線を利用した着座センサー２９を設けている。また操作部本体２８には、着座センサー２９が動作したときからの時間を計測するタイマー３０と、局部洗浄手段２６を動作させて使用者のおしり洗浄やビデ洗浄をする洗浄スイッチ３１と、温風乾燥手段２７を動作させる乾燥スイッチ３２と、局部洗浄手段２６と温風乾燥手段２７のそれぞれの動作を停止させる共通の止めスイッチ３３とを設けている。また、送風機２０の送風量を標準脱臭風量（例えば０．０９ｍ3／ｍｉｎ）から標準脱臭風量より大きい風量のパワー脱臭風量（例えば０．１８ｍ3／ｍｉｎ）に切替えて、パワー脱臭動作を行う時間の決定を手動によるか、あるいは自動的に行うかを選択するオート切替えスイッチ３４と、パワー脱臭風量で送風機２０を動作させる動作時間を、例えば短時間（６０秒間）、中時間（９０秒間）、長時間（１２０秒間）の３種類から選定する選択スイッチ３５を設けている。更に、操作部本体２８には、着座センサー２９とタイマー３０とオート切替えスイッチ３４と選択スイッチ３５の動作に応じて送風機２０の動作を制御するマイクロコンピューターを備えた制御装置１２が設けられている。
【００１７】
ここで、本発明の第１の実施の形態に係る脱臭装置１０の制御方法について、図３に示したフローチャート及び図４に示す脱臭装置１０の着座センサー２９の出力と送風機２０によって発生させる風量との関係の説明図を参照して説明する。
（１）使用者が便座２２に着座したことを着座センサー２９により検知する（ステップＳ１）と共に、着座センサー２９が検知したときからの時間をカウントする（ステップＳ２）。
（２）着座センサー２９の出力信号により制御装置１２は送風機２０を標準脱臭風量（例えば０．０９ｍ3／ｍｉｎ）で動作させて臭気物質を含んだ空気を脱臭手段１１に供給する（ステップＳ３）。
（３）タイマー３０によって着座から所定の待ち時間をカウントし、例えば３０秒経過したら（ステップＳ４）、制御装置１２により、送風機２０の回転数を大きくして標準脱臭風量より大きいパワー脱臭風量（例えば０．１８ｍ3／ｍｉｎ）に切替え、パワー脱臭動作を行う（ステップＳ５）。
（４）パワー脱臭動作に切り換えたときからの時間をカウントし（ステップＳ６）、所定の動作時間（例えば９０秒間）経過したら（ステップＳ７）、制御装置１２により送風機２０を停止し、パワー脱臭動作を停止する（ステップＳ８）。
【００１８】
この場合、オート切替えスイッチ３４は手動で動作するようにしている。脱臭手段１１のパワー脱臭動作の動作時間は、使用者が選択スイッチ３５によって任意に、短時間（６０秒間）、中時間（９０秒間）、長時間（１２０秒間）の３種類から選択して決めることができる。
なお、脱臭手段１１のパワー脱臭動作が停止するまでの動作時間を自動的に動作させる場合は、オート切替えスイッチ３４を自動に切り換えておく。そうすると、脱臭手段１１の動作時間は、着座している時間をタイマー３０によって計測した着座時間の長さに応じて自動的に、例えば着座してから３０秒経過したときには短時間（６０秒間）に、着座してから９０秒経過したら中時間（９０秒間）に、更に着座してから１２０秒経過したら長時間（１２０秒間）に設定される。
【００１９】
本発明の第２の実施の形態に係る脱臭装置３６の制御方法を図５を参照して説明する。
脱臭装置３６は、第１の実施の形態に係る脱臭装置１０に設けた着座センサー２９の他に便器１３の前側に立った使用者を検知する人体センサー３７を便室内に追加して設けている。
なお、第１の実施の形態と同一構成要素については、同一名称同一符号を付し、説明を省略する。また、以下に述べる実施の形態についても同様とする。
これにより、便座２２を使用しないで男性が小用をするために便器１３の前に立ったときでも、人体センサー３７によって使用者を検知し、人体センサー３７の出力信号により制御装置１２が送風機２０を標準脱臭風量で動作させると共に、前記第１の実施の形態に係る脱臭装置１０の制御方法で述べた（３）、（４）と同様のパワー脱臭動作を行い、便室内の臭気をタイミングよく短時間で除去する。
なお、変形例として、着座センサー２９と人体センサー３７の両方を設ける代わりに、便座２２を使用した状態と便器１３の前に立った使用者の両方を検出することが可能な使用者センサー（図示しない）を設けて、その出力により制御装置１２が送風機２０を標準脱臭風量で動作させるようにしてもよい。
【００２０】
本発明の第３の実施の形態に係る脱臭装置３８の制御方法を図６を参照して説明する。
第３の実施の形態は前記第１の実施の形態に係る脱臭装置１０の制御方法において、パワー脱臭動作を行うタイミングを、タイマー３０によって着座から所定の待ち時間経過した後にパワー脱臭動作を開始する代わりに、使用者の局部洗浄手段２６の使用時間に応じてパワー脱臭動作の開始を決めるようにしたものである。
この場合、脱臭装置３８は局部洗浄手段２６を使用したときからの時間を計測するタイマー３９を備えている。
【００２１】
制御方法は、図７に、図８に示すように、
（１）使用者が便座２２に着座したことを着座センサー２９により検知する（ステップＳ１）。
（２）着座センサー２９の出力信号により制御装置１２は送風機２０を標準脱臭風量で動作させる（ステップＳ２）。
（３）使用者が局部洗浄手段２６を開始する（ステップＳ３）と共に、タイマー３９によって局部洗浄手段２６を使用したときからの時間をカウントし（ステップＳ４）、洗浄スイッチ３１を入れてから所定の洗浄時間（例えば１〜５秒以上）を検出したとき（ステップＳ５）、制御装置１２によって送風機２０の回転数を高くし、標準脱臭風量より大きい風量のパワー脱臭風量で便器１３の近傍の空気を脱臭手段１１に供給するパワー脱臭動作に切り換える（ステップＳ６）。
（４）パワー脱臭動作に切り換えたときからの時間をカウントし（ステップＳ７）、所定時間（例えば９０秒間）経過したら（ステップＳ８）、制御装置１２により送風機２０を停止し、パワー脱臭動作を停止する（ステップＳ９）。
【００２２】
これにより、使用者が便座２２から立ち去る前に、局部洗浄手段２６を使用したら短時間にパワー脱臭動作を行うことができるので、臭気の発生とパワー脱臭のタイミングを容易に一致させることが出来る。
また、局部洗浄手段２６の使用時間を計測するタイマー３９の代わりに、局部洗浄手段２６を使用した回数を計測するカウンター（図示しない）を設けて、所定の使用回数（例えば１回以上）に達したとき、標準脱臭動作からパワー脱臭動作に切り換えるようにしてもよい。
パワー脱臭動作を停止するタイミングは、第１の実施の形態に係る脱臭装置１０の制御方法の説明で（４）に述べた方法と同様に、使用者が任意に、又は自動的に局部洗浄手段２６の使用時間又は動作回数に応じて所定の動作時間を選定するようにしている。
【００２３】
本発明の第４の実施の形態に係る脱臭装置４０の制御方法を図９を参照して説明する。第４の実施の形態は前記第３の実施の形態に係る脱臭装置３８の制御方法において、パワー脱臭動作を行うタイミングを、使用者の局部洗浄手段２６を使用する時間に応じて決める代わりに、使用者の温風乾燥手段２７の使用時間又は使用回数に応じて決めるようにしたものである。
この場合、温風乾燥手段２７が使用されている時間はタイマー４１によって計測し、制御装置１２によって送風機２０の回転数を高くし、パワー脱臭動作に切り換える。
また、温風乾燥手段２７の使用回数は、カウンター（図示しない）により計測して制御装置１２に記憶させ、所定回数（例えば、１〜３回）に達したらパワー脱臭動作に切り換える。
これにより、使用者が便座２２から立ち去る前に、温風乾燥手段２７を使用して局部洗浄によって濡れた部分を乾燥する動作により、パワー脱臭動作を行うので、臭気の発生とパワー脱臭のタイミングを容易に一致させることが出来る。
パワー脱臭動作を停止するタイミングは、使用者が任意に、又は自動的に温風乾燥手段２７の使用時間又は動作回数に応じて所定の動作時間を選定するようにしている。
【００２４】
本発明の第５の実施の形態に係る脱臭装置の制御方法は、図１０に示すように、標準脱臭動作を行い、所定時間経過した後にパワー脱臭動作に切り換える代わりに、パワー脱臭動作に切り換えるタイミングを、局部洗浄手段２６及び温風乾燥手段２７のそれぞれの止めスイッチ３３の動作回数を制御装置１２により合算した値が所定回数に達した後に行うものである。この場合、局部洗浄手段２６及び温風乾燥手段２７の動作を停止するために１個の共通した止めスイッチ３３を使用している。
【００２５】
制御方法は、以下の通りである。
（１）使用者が便座２２に着座したことを着座センサー２９により検知する（ステップＳ１）。
（２）着座センサー２９の出力信号により制御装置１２は送風機２０を標準脱臭風量で動作させる（ステップＳ２）。
（３）使用者が洗浄スイッチ３１を入れて局部洗浄手段２６の動作を開始し、止めスイッチ３３で局部洗浄を停止し、局部洗浄を終わる（ステップＳ３）。
（４）洗浄スイッチ３１及び止めスイッチ３３のスイッチ動作回数を制御装置１２によってカウントする（ステップＳ４）。
（５）使用者が局部洗浄手段２６を使用したあと、乾燥スイッチ３２を入れて温風乾燥し、止めスイッチ３３で温風乾燥を終わる（ステップＳ５）。
（６）乾燥スイッチ３２及び止めスイッチ３３の動作回数を制御装置１２によってカウントする（ステップＳ６）。
（７）洗浄スイッチ３１、乾燥スイッチ３２及び止めスイッチ３３の動作回数の合計を計算し（ステップＳ７）、動作回数の合計が所定回数に達したとき（ステップＳ８）、パワー脱臭動作に切り換える（ステップＳ９）。
（８）パワー脱臭動作に切り換えたときからの時間をカウントし（ステップＳ１０）、所定時間（例えば９０秒間）経過したら（ステップＳ１１）、パワー脱臭動作を停止する（ステップＳ１２）。
【００２６】
通常、局部洗浄手段２６を使用後に停止したあと、温風乾燥手段２７を使用する事が多いが、これにより、局部洗浄手段２６や温風乾燥手段２７を使用した後、局部洗浄手段２６を停止した回数と温風乾燥手段２７を停止した回数の合計を計測して、その回数が、例えば２回以上のときに制御装置１２によりパワー脱臭動作を行い、使用者が明らかに便器１３を使用したときから確実に便器１３の周辺の臭気を除去する。
なお、脱臭手段１１のパワー脱臭動作が停止するまでの動作時間を自動的に動作させる場合は、オート切替えスイッチ３４を自動に切り換えておく。これにより、局部洗浄手段２６や温風乾燥手段２７の動作回数の合計回数に応じて自動的に設定時間が選択される。
【００２７】
本発明の第６の実施の形態に係る脱臭装置４２の制御方法では、図１１、図１２に示すように、標準脱臭動作を行い、所定時間経過した後にパワー脱臭動作に切り換える代わりに、便器１３の近傍に臭気センサー４３を設けている。
第６の実施の形態の動作は、図１２、図１３に示すように、
（１）使用者が便座２２に着座したことを着座センサー２９により検知する（ステップＳ１）。
（２）着座センサー２９の出力信号により制御装置１２は送風機２０を標準脱臭風量で動作させる（ステップＳ２）。
（３）臭気センサー４３が動作し（ステップＳ３）、所定濃度、すなわち例えば人が不快感を持つ程度の臭気濃度（脱臭開始濃度）を検出したとき（ステップＳ４）、制御装置１２により送風機２０の回転数を高くし、パワー脱臭動作に切り換える（ステップＳ５）。
（４）パワー脱臭動作によって臭気センサー４３の検出濃度が所定の脱臭停止濃度（例えば、パワー脱臭動作開始時の１０％以下）に低下したとき（ステップＳ６）、脱臭停止濃度検出時から遅れ時間をカウントし（ステップＳ７）、所定の遅れ時間（例えば３０秒）経過したことを確認し（ステップＳ８）、その後に制御装置１２によって送風機２０を停止し、パワー脱臭動作を停止する（ステップＳ９）。
【００２８】
これにより、臭気センサー４３によって検出された臭気濃度が使用者に不快感を与える程度になったときにパワー脱臭動作を開始させることにより、パワー脱臭をタイミングよく動作させることが出来る。なお、臭気センサー４３は、例えば臭気物質を吸着することにより電位が変化するイオン性高分子膜やシクロデキストリン等を用いてイオン感受性電界効果型トランジスタで構成して、臭気濃度に比例した電圧を測定するようにしている。
なお、パワー脱臭動作の時間は、検出した臭気濃度の大きさに応じて自動的に、例えば短時間（６０秒間）、中時間（９０秒間）、長時間（１２０秒間）を選択スイッチ３５により選択して送風機２０を制御するようにしてもよい。これにより、パワー脱臭動作が安定する。
【００２９】
なお、例えば、臭気センサー４３の設置場所は便器１３の近傍であれば、脱臭装置内の空気流通路、便器の内側又は外側、便室内の壁面等のいずれでもよい。
また、前記実施の形態では使用時に便座に着座する洋式便器の場合について説明したが、便器１３の上方にしゃがんで用を足す和式便器の場合については、便室内に設けた人体センサーによって便器１３の上方の使用者を検知することにより、脱臭装置を制御することができる。
【００３０】
さらに、パワー脱臭を行う時間は、パワー脱臭開始からの経過時間で制御するのに代えて、着座センサーの出力オフ、すなわち使用者の便座２２からの離座後の経過時間で制御するようにしてもよい。この場合は、着座センサーの出力オフからの時間をカウントし、所定の動作時間（例えば、９０秒間）経過したら、制御装置１２により送風機２０を停止し、パワー脱臭動作を停止する。この動作時間を使用者が自由に選択できるようにしておけば、使用中や離座後の臭気に応じて次の使用者のために適切と思える脱臭時間を設定することができるので、次の使用者の使用時まで臭気を残してしまうという不安感を減少させることができる。なお、この脱臭時間を脱臭開始から計測するか離座から計測するかは、図示せぬ切替えスイッチを使用者がその都度操作して選択することができる。
また、衛生洗浄装置本体１６に設けられた操作部本体２８に代えて、遠隔操作を行うリモコン装置を用いてもよい。リモコン装置と衛生洗浄装置本体１６との間の通信は、有線式、無線式、光通信式、電磁波式などの方式により行うことができる。
さらにまた、脱臭手段１１の吸入口１７は、便座２２の近傍又は衛生洗浄装置本体１６の臀部位置近辺に設けてあってもよい。
【００３１】
以上、本発明の実施の形態について説明したが、本発明は何ら前記の実施の形態に記載の構成に限定されるものではなく、特許請求の範囲に記載されている事項の範囲内で考えられるその他の実施の形態や変形例も含むものであり、例えば、前記したそれぞれの実施の形態や変形例の一部又は全部を組み合わせて本発明の脱臭装置の制御方法を構成する場合にも本発明は適用される。
【００３２】
【発明の効果】
【００３３】
【００３４】
請求項１記載の脱臭装置の制御方法においては、便器に局部洗浄手段を備え、便器に着座した使用者又は便器の前側に立った使用者を検知し、便器に設けた脱臭手段に便器の周辺の空気を標準脱臭風量で供給することにより、標準脱臭動作を行い、使用者の局部洗浄手段を所定時間又は所定回数動作した後、標準脱臭風量より大きい風量でパワー脱臭動作を行うので、使用者が便座から立ち去る前に、臭気の発生とパワー脱臭のタイミングを容易に一致させることが出来、効果的に臭気を除去することができる。
【００３５】
請求項２記載の脱臭装置の制御方法においては、便器に温風乾燥手段を備え、便器に着座した使用者又は便器の前側に立った使用者を検知し、便器に設けた脱臭手段に便器の周辺の空気を標準脱臭風量で供給することにより、標準脱臭動作を行い、便器に備えた温風乾燥手段を所定時間又は所定回数動作した後、標準脱臭風量より大きい風量でパワー脱臭動作を行うので、使用者が便座から立ち去る前に、臭気の発生とパワー脱臭のタイミングを容易に一致させることが出来、効果的に臭気を除去することができる。
【００３６】
請求項３記載の脱臭装置の制御方法においては、便器に局部洗浄手段及び温風乾燥手段を備え、便器に着座した使用者又は便器の前側に立った使用者を検知し、便器に設けた脱臭手段に便器の周辺の空気を標準脱臭風量で供給することにより、標準脱臭動作を行い、局部洗浄手段及び温風乾燥手段のそれぞれの停止スイッチの動作回数の合計が所定回数に達した後、標準脱臭風量より大きい風量でパワー脱臭動作を行うので、使用者が明らかに便器を使用したときから確実に便器の周辺の臭気を除去することが出来る。
【００３７】
【００３８】
請求項４及びこれに従属する請求項１０記載の脱臭装置の制御方法においては、パワー脱臭動作を行う時間は、予め設定した複数の設定時間の中から任意に選択するようにしているので、パワー脱臭の動作時間を予め設定して確実にパワー脱臭をタイミングよく動作させることが出来る。
請求項５及びこれに従属する請求項１０記載の脱臭装置の制御方法においては、パワー脱臭動作を行う時間は、使用者が着座している時間の長さに応じて、予め設定した複数の設定時間の中から選択するようにしているので、自動的に動作時間を設定することができる。
請求項６及びこれに従属する請求項１０記載の脱臭装置の制御方法においては、パワー脱臭動作を行う時間は、局部洗浄手段の使用時間又は動作回数に応じて、予め設定した複数の設定時間の中から選択するようにしているので、誰でも簡単にパワー脱臭の動作時間を設定することができる。
【００３９】
請求項７及びこれに従属する請求項１０記載の脱臭装置の制御方法においては、パワー脱臭動作を行う時間は、温風乾燥手段の使用時間又は動作回数に応じて、予め設定した複数の設定時間の中から選択するようにしているので、誰でも簡単にパワー脱臭の動作時間を設定することができる。
請求項８及びこれに従属する請求項１０記載の脱臭装置の制御方法においては、パワー脱臭動作を行う時間は、温風乾燥手段及び局部洗浄手段のそれぞれの停止スイッチの動作回数に応じて、予め設定した複数の設定時間の中から選択するようにしているので、温風乾燥手段及び局部洗浄手段の使用状態を明確に把握することが出来、確実に臭気の発生とパワー脱臭のタイミングを容易に一致させることが出来る。
請求項９及びこれに従属する請求項１０記載の脱臭装置の制御方法においては、パワー脱臭動作を行う時間は、臭気センサーが検出した臭気濃度の大きさに応じて、予め設定した複数の設定時間の中から選択するようにしているので、パワー脱臭動作が安定し脱臭効果が確実になり、しかも電力消費量を節約することができる。
請求項１０記載の脱臭装置の制御方法においては、パワー脱臭を行う時間は、使用者が便座から離座してからパワー脱臭動作の停止までのオフディレー時間を、予め設定した複数の設定時間の中から選択することにより決定されるので、使用中や離座後の臭気に応じて次の使用者のために適切と思える脱臭時間を設定することができ、次の使用者の使用時まで臭気を残してしまうという不安感を減少させることができる。
【図面の簡単な説明】
【図１】本発明の第１の実施の形態に係る脱臭装置の制御方法を使用する脱臭装置を設けた便器の平面図である。
【図２】同脱臭装置を用いる便器の一部を断面で示した側面図である。
【図３】同脱臭装置の制御方法のフローチャートである。
【図４】同脱臭装置の制御方法のタイムチャートである。
【図５】本発明の第２の実施の形態に係る脱臭装置の制御方法を使用する脱臭装置の説明図である。
【図６】本発明の第３の実施の形態に係る脱臭装置の制御方法を使用する脱臭装置を設けた便器の平面図である。
【図７】同脱臭装置の制御方法のフローチャートである。
【図８】同脱臭装置の制御方法のタイムチャートである。
【図９】本発明の第４の実施の形態に係る脱臭装置の制御方法を使用する脱臭装置を設けた便器の平面図である。
【図１０】本発明の第５の実施の形態に係る脱臭装置の制御方法のフローチャートである。
【図１１】本発明の第６の実施の形態に係る脱臭装置の制御方法を使用する脱臭装置を設けた便器の平面図である。
【図１２】同脱臭装置の制御方法のフローチャートである。
【図１３】同脱臭装置の制御方法のタイムチャートである。
【符号の説明】
１０：脱臭装置、１１：脱臭手段、１２：制御装置、１３：便器、１４：便器本体、１５：衛生洗浄装置、１６：衛生洗浄装置本体、１７：吸入口、１８：排出口、１９：通風ダクト、２０：送風機、２１：脱臭触媒、２２：便座、２３：便蓋、２４：ヒンジ構造、２５：ノズル機構、２６：局部洗浄手段、２７：温風乾燥手段、２８：操作部本体、２９：着座センサー、３０：タイマー、３１：洗浄スイッチ、３２：乾燥スイッチ、３３：止めスイッチ、３４：オート切替えスイッチ、３５：選択スイッチ、３６：脱臭装置、３７：人体センサー、３８：脱臭装置、３９：タイマー、４０：脱臭装置、４１：タイマー、４２：脱臭装置、４３：臭気センサー
【図１】
0004094314.tif 000002
【図２】
0004094314.tif 000003
【図３】
0004094314.tif 000004
【図４】
0004094314.tif 000005
【図５】
0004094314.tif 000006
【図６】
0004094314.tif 000007
【図７】
0004094314.tif 000008
【図８】
0004094314.tif 000009
【図９】
0004094314.tif 000010
【図１０】
0004094314.tif 000011
【図１１】
0004094314.tif 000012
【図１２】
0004094314.tif 000013
【図１３】
0004094314.tif 000014